(57)【要約】【課題】  空間を有効活用して表示器やインバーター基板等をコンパクトに配置するとともに、表示器やインバーター基板等の全体をほぼ均一に冷却できるようにする。【解決手段】  パチンコ機やアレンジボール機等の遊技機に関し、遊技に関する内容を表示する液晶表示器１６（表示器）と、当該液晶表示器１６の背面側に設けられるインバーター基板１８と、冷却を行う冷却ファン２２（冷却装置）とを備え、インバーター基板１８の背面側に空間を隔てて冷却ファン２２を設ける構成とした。インバーター基板１８の背面側に形成した空間によって、冷却の際に生ずる空気の流れを確保し、液晶表示器１６やインバーター基板１８等をコンパクトに配置できる。冷却ファン２２はインバーター基板１８の背面側に配置したので、液晶表示器１６やインバーター基板１８等の全体をほぼ均一に冷却できる。【選択図】        図２
2005192827.tif 000002
【特許請求の範囲】
【請求項１】
遊技に関する内容を表示する表示器と、当該表示器の背面側に設けられるインバーター基板と、冷却を行う冷却装置とを有する遊技機であって、
前記インバーター基板の背面側に空間を隔てて前記冷却装置を設ける構成とした遊技機。
【発明の詳細な説明】
【技術分野】
【０００１】
本発明は遊技機に関し、表示器やインバーター基板等を冷却する技術に関する。
【背景技術】
【０００２】
遊技機には、遊技に関する内容（例えば図柄の変動表示等）を表示するための表示器や、当該表示器に信号を中継したり電力を供給するインバーター基板などが設けられている。これらの表示器やインバーター基板などは通電によって熱が発生するので、冷却しなければ熱暴走や故障等が発生して遊技を正常に行えなくなる場合もあり得る。そこで、従来では表示器の筐体内を冷却ファンで冷却する技術の一例が開示されている（例えば特許文献１，２を参照）。
【特許文献１】特開２００２−４５５３０号公報（第６−７頁，図４）
【特許文献２】特開平９−３０８７３５号公報（第６頁，第９頁，図４，図１１）
【発明の開示】
【発明が解決しようとする課題】
【０００３】
しかし、特許文献１に記載された技術では熱源たる表示器にかかる一方側の側面付近に冷却ファンを配置しているので、他方側の側面付近にこもった熱を排除しにくい。したがって、表示器の全体をほぼ均一に冷却することができない。
また、特許文献２に記載された技術では横から見ると表示器，インバーター基板および冷却ファンを三角形の各辺に対応して配置しているので（特許文献２の図１１を参照）、当該三角形の中心部には何の装置も配置できなくなり、空間を有効に活用できない。近年では、表示器の周囲に取り付けなければならい装置や部材等の点数が増加しており、表示器やインバーター基板等をコンパクトに配置できるような構成が要望されている。
本発明はこのような点に鑑みてなしたものであり、空間を有効活用して表示器やインバーター基板等をコンパクトに配置するとともに、表示器やインバーター基板等の全体をほぼ均一に冷却するように構成した遊技機を提供することを目的とする。
【課題を解決するための手段】
【０００４】
（１）課題を解決するための手段（以下では単に「解決手段」と呼ぶ。）１は、遊技に関する内容を表示する表示器と、当該表示器の背面側（表示器の表示面とは反対の面側を意味し、他の装置や部材についても同様である。）に設けられるカバー部材と、前記カバー部材によって形成された空間に配設されたインバーター基板とを有する遊技機であって、前記カバー部材は空気を流す貫通穴を備え、前記カバー部材の背面側かつほぼ中央部には冷却の際に前記貫通穴を通じて空気を流す冷却装置が設けられていることを要旨とする。
【０００５】
解決手段１によれば、表示器，インバーター基板，カバー部材，冷却装置の順番で配置する。カバー部材によって形成された空間は、冷却の際に生ずる空気の流れを確保する。空気の流れを確保できれば十分であるので、大きな空間を必要とせず、最小限の空間を確保できればよい。当該カバー部材は貫通穴を通じて空気を冷却装置に導く機能を果たすが、さらに表示器およびインバーター基板を保護する機能を果たす構造とするのが望ましい。上述した配置によれば、表示器やインバーター基板等をコンパクトに配置できる。よって、従来のように表示器およびカバー部材の側面側に冷却装置を配置しないので、他の装置（例えば役物など）や部材（例えば球通路など）を配置することができる。また、カバー部材を通じて冷却を行う冷却装置は、インバーター基板の背面側かつほぼ中央部に配置したので、表示器やインバーター基板等の全体をほぼ均一に冷却することができる。
【０００６】
（２）解決手段２は、解決手段１に記載した遊技機であって、インバーター基板は、表示器への信号を中継する信号中継機能を有することを要旨とする。
【０００７】
インバーター基板は、直流電力を交流電力に変換し、表示器の作動に見合った電力を供給する電力供給機能を備える。解決手段２におけるインバーター基板は、電力供給機能だけでなく信号中継機能をも備える。よって信号中継用の基板を別個に設ける必要がなく、表示器の背面側にインバーター基板を設けるだけで電力供給機能および信号中継機能を果たす。したがって、信号中継用の基板を設置する作業を行う必要がないので、組み付け作業時間を短縮できる。
【０００８】
（３）解決手段３は、解決手段１または２に記載した遊技機であって、カバー部材には多数の貫通穴を備えたことを要旨とする。
【０００９】
解決手段３によれば、カバー部材には多数の貫通穴を備えているので、冷却装置を最大限に稼働させても冷却の際には確実に空気を流すことができ、冷却効率が高まる。
【００１０】
（４）解決手段４は、解決手段１から３のいずれか一項に記載した遊技機であって、冷却装置は、カバー部材の内部の空気を吸い出すように構成したことを要旨とする。
【００１１】
インバーター基板に向けて空気を流すように冷却装置を作動させた場合には、インバーター基板を冷却することはできるものの、インバーター基板は表示器の背面側に設けているので、インバーター基板が邪魔となって表示器を効率よく冷却することができない。また、表示器およびインバーター基板で発生した熱はカバー部材の内側にこもりやすい。解決手段４によれば、カバー部材の内部の空気（すなわち熱された空気）を外部に向けて吸い出すように冷却装置に導くので、結果的に表示器およびインバーター基板の双方を冷却することができる。なお冷却装置には、例えば冷却ファンを用いる。
【００１２】
（５）解決手段５は、解決手段１から４のいずれか一項に記載した遊技機であって、カバー部材は、インバーター基板との間の距離を調整する距離調整機構を有することを要旨とする。
【００１３】
解決手段５によれば、インバーター基板との間の距離を広げてゆけば所定の空間を流れる空気はゆるやかになり、当該距離を狭めてゆけば所定の空間を流れる空気は速くなる。すなわち、空気がゆるやかに流れると単位時間当たり逃がす熱も少なくなって冷却率が低くなり、空気が速く流れると単位時間当たり逃がす熱も多くなって冷却率が高まる。熱が逃げにくい位置に遊技機を設置した場合には冷却率を高めるためにインバーター基板との間の距離を狭め、熱が逃げやすい位置に遊技機を設置した場合には冷却率が低くてもよいので当該距離を広げる。このように冷却装置の作動を制御しなくても、距離調整機構によってインバーター基板との間の距離を調整するだけで、確実に表示器やインバーター基板等の冷却を行うことができる。
【発明の効果】
【００１４】
本発明によれば、カバー部材の背面側に配置した冷却装置によって当該カバー部材の内部の空気を吸い出すように冷却するので、空間を有効活用して表示器やインバーター基板等をコンパクトに配置できるとともに、表示器やインバーター基板等の全体をほぼ均一に冷却することができる。またこのように配置した結果、表示器およびカバー部材の側面側には、他の装置や部材を配置することもできる。
【発明を実施するための最良の形態】
【００１５】
次に、本発明を実施するための最良の形態について、実施例に従って説明する。
【実施例】
【００１６】
本実施例は遊技機の一つであるパチンコ機に本発明を適用した例であって、図１〜図６を参照しながら説明する。
【００１７】
〔パチンコ機の外観〕
まず、カードユニット１０およびパチンコ機１２の外観を図１に示す。カードユニット１０は、記録媒体（例えば磁気カードやＩＣカード等）に記録された残高情報や有価価値情報等が入出力可能であって、残高情報等の範囲内で遊技者が望む金額分に相当する個数のパチンコ球が貸し出し可能に構成する。カードユニット１０の具体的な構成や作動等については周知の構成と同様であるので、図示および説明を省略する。
パチンコ機１２の正面側には、遊技媒体としてのパチンコ球で遊技する遊技盤１４が備えられ、当該遊技盤１４にはパチンコ遊技に関する情報を表示する液晶表示器１６が備えられている。液晶表示器１６は表示器に相当し、ＥＬ表示器，プラズマ表示器，ＣＲＴ等に代えて適用可能である。なお図示していないが、遊技盤１４には、その他に入賞口（大入賞口や始動口を含む），ゲート，風車器，障害釘などが適宜に配置される。
【００１８】
〔液晶表示器，インバーター基板，冷却ファン等の構成例〕
次に液晶表示器１６に対してインバーター基板や冷却ファン等を組み付けて構成する例について、図２〜図４を参照しながら説明する。図２には当該構成例の分解斜視図を示し、図３には液晶表示器１６の背面側にインバーター基板を装着する例を示す。
なお以下の説明では、単に「正面側」および「背面側」と呼ぶときは、機器や部材にかかわらず、図２に示すように液晶表示器１６の表示面１６ａに向かう側を「正面側」と呼び、基板ボックス２４に向かう側を「背面側」と呼ぶ。
【００１９】
図２に示すように、液晶表示器１６の背面側にインバーター基板１８を装着し、液晶表示器１６およびインバーター基板１８を保護するようにカバー部材２０で覆って組み付ける。こうして組み付けた液晶表示器１６，インバーター基板１８およびカバー部材２０は、単体の表示ユニット２６として取り扱うことも可能になる。基板ボックス２４の正面側には、取付台２４ａ，２４ｂを備える。通常は取付台２４ｂに冷却ファン２２を取り付けた後、取付台２４ａに表示ユニット２６（またはカバー部材２０）を取り付ける。当該冷却ファン２２は、冷却装置に相当する。
【００２０】
ここで、上述した各要素の機能や構造等について簡単に説明する。液晶表示器１６の正面は情報を表示する表示面１６ａであるが、その背面および側面はシールド部材１６ｃで覆っている。当該シールド部材１６ｃは導電性の筐体に相当し、外来ノイズ等による誤作動を防止するために設けられ、一般的にはアースに電気的に接続される。ただし、インバーター基板１８を装着するために液晶表示器１６の背面側に備えたコネクタ１６ｂはシールド部材１６ｃで覆わない。
【００２１】
インバーター基板１８は、液晶表示器１６に電力を供給する電源基板に相当する。当該インバーター基板１８は、電子回路を構成する電子素子の他に、コネクタ１８ｃ，板バネ１８ａ，台座１８ｂ等を有する。またインバーター基板１８は、コネクタ１８ｃと上述したコネクタ１６ｂとの組み付けによって、液晶表示器１６に電力を供給する電力供給機能のほかに、当該液晶表示器１６に表示用の信号を中継する信号中継機能を実現する。板バネ１８ａは導電性の素材（例えば強い弾性を有するベリリウム銅などのような金属素材）で形成され、導電機能と弾性機能とを有する。台座１８ｂは液晶表示器１６との間隔を確保するため、例えばインバーター基板１８の四隅のうちで一以上の隅や周縁部等に備えられる。当該台座１８ｂは、板バネ１８ａと協調して装着対象の液晶表示器１６の背面側に接し、インバーター基板１８が装着後にぐらつきが無いようにする。
【００２２】
カバー部材２０は、液晶表示器１６を固定する機能や、液晶表示器１６およびインバーター基板１８を保護する機能、冷却ファン２２を稼働させて液晶表示器１６およびインバーター基板１８を冷却する際に空気の流れを確保する機能などを有する。空気の流れを確保する機能を実現するため、カバー部材２０には液晶表示器１６の背面に対向する位置や側面に多数のスリット２０ａを備える。当該スリット２０ａは貫通穴に相当する。
【００２３】
〔液晶表示器の背面側にインバーター基板を装着する例〕
液晶表示器１６の背面側にインバーター基板１８を装着する具体的な例について、図３を参照しながら説明する。図３（Ａ）には装着前の状態を側面図で示し、図３（Ｂ）には装着後の状態を側面図で示し、同じく図３（Ｃ）には装着後の状態を斜視図で示す。
【００２４】
図３（Ａ）において、液晶表示器１６にインバーター基板１８を装着するには、例えばインバーター基板１８を液晶表示器１６に矢印Ｄ２で示すように接近させ、コネクタ１６ｂにコネクタ１８ｃを組み付けるだけでよい。当該コネクタ１６ｂとコネクタ１８ｃとの組み付けによって結合力が生じるとともに、板バネ１８ａおよび台座１８ｂによってぐらつきがほとんど無くなり、インバーター基板１８が液晶表示器１６の背面側に対して装着される。こうして装着された状態を図３（Ｂ）および図３（Ｃ）に示す。なお板バネ１８ａは電気的接続を確実に維持するため、図３（Ｃ）に示すようにインバーター基板１８と板バネ１８ａとの接続部１８ｄをハンダ付けするのが望ましい。
【００２５】
ところで、コネクタ１６ｂとコネクタ１８ｃは、液晶表示器１６とインバーター基板１８とで挟まる部位に位置する。実際に液晶表示器１６にインバーター基板１８を装着しようとして、液晶表示器１６およびインバーター基板１８の一方側（すなわちインバーター基板１８の背面側または液晶表示器１６の正面側）から見ると、コネクタが見えない。この場合、コネクタ１８ｃがコネクタ１６ｂに嵌まるまで探すこともあり、組み付けに時間を要してしまう。そこで、例えば図３（Ｃ）に示すように液晶表示器１６の背面側にマーカー１６ｄを備える。作業者は四つのマーカー１６ｄの位置にインバーター基板１８の四隅がくるようにするだけで、コネクタが見えなくても当該コネクタどうしを容易に組み付けられるようになる。したがって、コネクタ１８ｃがコネクタ１６ｂに嵌まるまで探すことがなくなり、組み付け時間を短縮することができる。
【００２６】
〔冷却ファンの配置〕
基板ボックス２４の取付台２４ｂに冷却ファン２２を取り付けるとともに、取付台２４ａに表示ユニット２６（またはカバー部材２０）を取り付けた完成状態を図４〜図６に示す。図４には斜視図で示し、図５（Ａ）には正面図で示し、図５（Ｂ）には平面図で示し、図５（Ｃ）には側面図を示し、図６には図５（Ａ）に示すＡ−Ａ線断面図を示す。
【００２７】
これらの図４〜図６に示す完成状態では、冷却ファン２２は液晶表示器１６やインバーター基板１８の背面側かつほぼ中央部に配置している。この配置によれば、冷却ファン２２はカバー部材２０の内部の空気を吸い出す。また、液晶表示器１６やカバー部材２０等の側面側に冷却ファン２２が配置されないので、他の装置（例えば役物など）や部材（例えば球通路など）を配置することができる。なお図６に示すように、完成状態としての液晶表示器１６，インバーター基板１８，カバー部材２０，冷却ファン２２等は、背面側（図面右側）から遊技盤１４に取り付けられる。
本例では、液晶表示器１６に表示する内容を制御する画像制御基板２４ｃ（回路基板に相当）を基板ボックス２４に封入したが、サブ制御基板などのようにパチンコ機１２に用いる他の回路基板を基板ボックス２４に封入してもよい。
【００２８】
〔冷却時における空気の流れ〕
冷却ファン２２を稼働したときの空気の流れは、図５（Ｂ）で示す矢印Ｄ４，Ｄ６のようになる。すなわち、カバー部材２０に備えたスリット２０ａや、カバー部材２０と液晶表示器１６との隙間から入る。そして、カバー部材２０の背面側に備えたスリット２０ａから冷却ファン２２に向けて吸い出され、基板ボックス２４に当たって拡散する。図６に示すように、カバー部材２０の背面とインバーター基板１８との間には空間２８が形成されている。この空間２８は空気の流れを確保するために形成されているので、冷却の際に生ずる空気の流れがスムーズになり、液晶表示器１６やインバーター基板１８から発生した熱を効率よく排除することができる。
【００２９】
〔実施例の効果〕
上述した実施例によれば、以下に示す各効果を得ることができる。
（１）カバー部材２０によって形成された空間２８にインバーター基板１８を配設し、カバー部材２０は空気を流すスリット２０ａを備え、カバー部材２０の背面側かつほぼ中央部に冷却の際にスリット２０ａを通じて空気を流す冷却ファン２２を設ける構成とした｛図２，図６（Ｂ）を参照｝。カバー部材２０によって形成された空間２８は冷却の際に生ずる空気の流れを確保し、当該空間２８を有効活用して液晶表示器１６やインバーター基板１８等をコンパクトに配置できるとともに、液晶表示器１６やインバーター基板１８等の全体をほぼ均一に冷却することができる。またこのように配置した結果、液晶表示器１６およびインバーター基板１８の側面側には他の装置（例えば役物など）や部材（例えば球通路など）を配置することも可能になる。さらにカバー部材２０は、液晶表示器１６およびインバーター基板１８について各々の背面側および側面側を覆うような構造としたので、これらを保護する機能をも果たす。
冷却ファン２２の回転軸に沿うベクトルと、液晶表示器１６およびインバーター基板１８の面に対する法線ベクトルとがほぼ平行になるように配置した｛図２，図５（Ｂ）を参照｝。この配置では、厚みが薄い液晶表示器１６や冷却ファン２２を用いると、前後方向（すなわち冷却ファン２２の回転軸に沿うベクトルの方向）をコンパクトにできる。
本例では、カバー部材２０に備える貫通穴としてスリット２０ａ（すなわち長穴）を適用した。当該スリット２０ａに代えて、円形状の貫通穴や多角形（例えば三角形状や四角形状等）の貫通穴などのように任意の形状からなる貫通穴を適用した場合であっても、空気を流すことが可能な貫通穴であれば上述した効果を得ることができる。
【００３０】
（２）インバーター基板１８は、液晶表示器１６で表示する内容にかかるデータを中継して伝達するデータ伝達機能と、液晶表示器１６を作動させる電力を供給する電力供給機能とを備える構成とした。この構成によれば、信号中継用の基板を別個に設ける必要がなく、液晶表示器１６の背面側にインバーター基板１８を設けるだけで電力供給機能および信号中継機能を果たす。したがって、信号中継用の基板を設置する作業を行う必要がなく、組み付け作業時間を短縮できる。この点は電力供給機能についても同様である。
【００３１】
（３）カバー部材２０には、背面や側面に多数のスリット２０ａを備えた｛図２，図４，図５，図６を参照｝。当該スリット２０ａによって、冷却の際には確実に空気を流すことができ、冷却効率が高まる。
なお遊技場では粉塵が多く発生するが、当該粉塵によって一部のスリット２０ａが詰まったとしても、他のスリット２０ａによって空気の流れを確保できる。
【００３２】
（４）冷却ファン２２は、カバー部材２０の内部の空気を吸い出すように構成した｛図２，図５（Ｂ）等を参照｝。液晶表示器１６やインバーター基板１８で発生した熱はカバー部材２０の内部にこもりやすくなるが、当該こもった熱を外部に向けて吸い出すように冷却ファン２２に空気を導くので、結果的に液晶表示器１６およびインバーター基板１８の双方を冷却できる。
なお粉塵を含む空気をインバーター基板１８とは反対側に送り出すので、当該インバーター基板１８に粉塵が蓄積するような事態が発生せず、粉塵の蓄積等による故障（例えばショート等）を防止できる。
【００３３】
（５）インバーター基板１８には導電性の板バネ１８ａを備え、液晶表示器１６の背面側にインバーター基板１８を装着すると板バネ１８ａが液晶表示器１６を覆う導電性の筐体に接触してアースするように構成した｛図３を参照｝。この構成によれば、液晶表示器１６の背面側にインバーター基板１８を装着するだけで、当該インバーター基板１８に備えた導電性の板バネ１８ａが液晶表示器１６の筐体に接触してアースする。よってリード線を取り付ける作業を行う必要がないので、組み付け作業を短時間で行うことができる。
【００３４】
（６）インバーター基板１８には、液晶表示器１６の筐体（背面）に当てて当該液晶表示器１６との間隔を確保する複数の台座１８ｂを備え、複数の台座１８ｂのうちで少なくとも一つの台座１８ｂを板バネ１８ａが兼用する構成とした｛図３を参照｝。この構成によれば、板バネ１８ａの弾性力によってインバーター基板１８を安定して液晶表示器１６の背面側に装着できる。また板バネ１８ａの弾性力によって板バネ１８ａが液晶表示器１６の筐体に接触する状態を常に保てるので、アース状態もまた常に維持できる。
【００３５】
（７）液晶表示器１６側のコネクタ１６ｂとインバーター基板１８側のコネクタ１８ｃとを組み付けると、当該組み付けの結合力によってインバーター基板１８を液晶表示器１６に固定させる構成とした｛図３を参照｝。この構成によれば、ネジ等を用いて固定する作業を行う必要がないので、組み付け作業を短時間で行うことができる。
【００３６】
〔他の実施例〕
以上、本発明を実施するための最良の形態について実施例に従って説明したが、本発明は当該実施例に何ら限定されるものではない。言い換えれば、本発明の要旨を逸脱しない範囲内において、種々なる形態で実施することが可能である。例えば、次に示す各形態を実現してもよい。
【００３７】
（１）上述した実施例では、パチンコ機１２に本発明を適用した。この形態に代えて、パチンコ機１２以外の他の遊技機（例えばスロットマシン，アレンジボール機，雀球遊技機，テレビゲーム機等）であって液晶表示器１６やインバーター基板１８等を備えたものにも同様に本発明を適用することができる。当該他の遊技機であっても、インバーター基板１８の背面側と冷却ファン２２との間に設けた空間２８を通じて冷却を行うので、液晶表示器１６やインバーター基板１８等をコンパクトに配置できる。またカバー部材２０によって、冷却の際にはスリット２０ａを通じて空気を冷却ファン２２に導いて冷却を行うので、液晶表示器１６やインバーター基板１８等の全体をほぼ均一に冷却できる。
【００３８】
（２）上述した実施例では、背面と側面に多数のスリット２０ａを備えたカバー部材２０を用いた｛図２，図５（Ｂ）等を参照｝。この形態に代えて図７に示すように、側面には多数のスリット２０ａを備えるものの、背面には冷却ファン２２に対向する部位にのみ多数のスリット２０ａを備えるように構成してもよい。図２に示すカバー部材２０では、冷却ファン２２の周囲からスリット２０ａを通じてカバー部材の２０内部の空間２８に入ってきた空気をそのまま冷却ファン２２が吸い出す「ショートサーキット現象」が起こりやすい。これに対して図７に示すカバー部材２０は、冷却ファン２２の直近には吸い出し用のスリット２０ａを除けば、外部から吸い込むためのスリット２０ａが無いので、上述したショートサーキット現象が起こり難くなる。よって、液晶表示器１６やインバーター基板１８で発生した熱をより効率よく除去でき、冷却効率をより高めることができる。
【００３９】
（３）上述した実施例では、インバーター基板１８との間に距離Ｌを隔ててカバー部材２０を備えた｛図６を参照｝。この形態に代えて、当該距離Ｌを調整する距離調整機構３０を備えてもよい。例えば図８に示す距離調整機構３０は、奥行き方向（すなわち図示する矢印Ｄ８方向）に移動して距離Ｌを伸縮可能な可動片３０ａや、当該可動片３０ａの位置を調整する調整部材３０ｂ（例えばネジ等）などで構成する。距離Ｌを広げてゆけば空間２８を流れる空気は緩やかになり、当該距離Ｌを狭めてゆけば空間２８を流れる空気は速くなる。空気が緩やかに流れると単位時間当たり逃がす熱も少なくなって冷却率が低くなり、空気が速く流れると単位時間当たり逃がす熱も多くなって冷却率が高くなる。熱が逃げにくい位置にパチンコ機１２を設置した場合には冷却率を高めるために距離Ｌを狭め、熱が逃げやすい位置にパチンコ機１２を設置した場合には冷却率が低くてもよいので距離Ｌを広げてもよい。したがって冷却ファン２２の作動を制御しなくても、距離調整機構３０によって距離Ｌを調整するだけで液晶表示器１６やインバーター基板１８等を効率よく冷却することが可能になる。
【００４０】
（４）上述した実施例では、液晶表示器１６の背面側にインバーター基板１８を設け、当該インバーター基板１８から冷却ファン２２を隔てた基板ボックス２４内に画像制御基板２４ｃを封入した｛図６等を参照｝。この形態に代えて、液晶表示器１６に電力供給機能を内蔵した場合などでは、液晶表示器１６の背面側に画像制御基板２４ｃ（または画像制御基板２４ｃを封入した基板ボックス２４）を設け、当該インバーター基板１８から冷却ファン２２を隔ててインバーター基板１８（またはサブ制御基板等を封入した基板ボックス２４）を配置する構成としてもよい。この構成によれば、液晶表示器１６や画像制御基板２４ｃから発生した熱を冷却ファン２２で除去することにより冷却を行える。
【００４１】
〔他の発明の態様〕
以上では本発明の実施例について説明したが、当該実施例には特許請求の範囲に記載した発明の態様のみならず他の発明の態様を有するものである。この発明の態様を以下に列挙するとともに、必要に応じて関連説明を行う。
【００４２】
〔態様１〕
遊技に関する内容を表示する表示器と、当該表示器の背面側に設けられるインバーター基板とを有する遊技機であって、
前記表示器側のコネクタ（コネクタ１６ｂに相当）と前記インバーター基板側のコネクタ（コネクタ１８ｃに相当）とを組み付けると、当該組み付けの結合力によって前記インバーター基板を前記表示器に固定させる構成とした遊技機。
【００４３】
従来ではインバーター基板を表示器に固定させるのに、表示器とインバーター基板とをコネクタで組み付ける作業とは別に、ネジ等を用いて固定する作業を行う必要があった。上記態様１によれば、表示器とインバーター基板とをコネクタで組み付けるだけで、インバーター基板を表示器に固定させることができる。ネジ等を用いて固定する作業を行う必要がないので、組み付け作業を短時間で行うことができる。
【００４４】
〔態様２〕
態様１に記載した遊技機であって、
インバーター基板には導電性の弾性部材（板バネ１８ａに相当）が備えられ、
少なくとも背面側が金属製の筐体（シールド部材１６ｃに相当）で覆われた表示器の背面側に前記インバーター基板を装着すると、前記弾性部材が前記筐体に接触してアースするように構成した遊技機。
【００４５】
従来では表示器とインバーター基板との間でアースするために、表示器の背面側にインバーター基板を装着する作業とは別に、アース用のリード線をネジやハンダ等で取り付ける作業を行う必要があった。上記態様２によれば、表示器の背面側にインバーター基板を装着するだけで、当該インバーター基板に備えられた導電性の弾性部材が表示器の筐体に接触してアースする。リード線を取り付ける作業を行う必要がないので、組み付け作業を短時間で行うことができる。
【００４６】
〔態様３〕
態様１または２に記載した遊技機であって、
インバーター基板には、表示器の筐体（もしくは背面）に当てて当該表示器との間隔を確保する複数の台座（台座１８ｂに相当）を備え、
前記複数の台座のうちで少なくとも一つの台座を弾性部材（板バネ１８ａに相当）が兼用する構成とした遊技機。
【００４７】
態様３によれば、複数の台座のうち全部または一部の台座を弾性部材が兼用するので、当該弾性部材の弾性力によってインバーター基板を安定して表示器の背面側に装着できる。また当該弾性部材の弾性力によって弾性部材が表示器の筐体に接触する状態を常に保てるので、アース状態もまた常に維持できる。
【００４８】
〔態様４〕
態様１から３のいずれか一項に記載した遊技機であって、
インバーター基板は、表示器で表示する内容にかかるデータを中継して伝達するデータ伝達機能と、前記表示器を作動させる電力を供給する電力供給機能とを有する遊技機。
【００４９】
態様４によれば、表示器とインバーター基板とをコネクタで組み付けるだけで、インバーター基板を表示器に固定させることができるだけでなく、表示器で表示する内容にかかるデータを中継し、表示器を作動させる電力を供給するようになる。よってデータ伝達や電力供給のための作業を行う必要がないので、組み付け作業時間をさらに短縮できる。
【図面の簡単な説明】
【００５０】
【図１】カードユニットおよびパチンコ機の外観を示す正面図である。
【図２】液晶表示器，インバーター基板，冷却ファン等の構成例を示す分解斜視図である。
【図３】液晶表示器の背面側にインバーター基板を装着する例を示す図である。
【図４】液晶表示器，インバーター基板，冷却ファン等の構成例を示す斜視図である。
【図５】液晶表示器，インバーター基板，冷却ファン等の構成例を示す図である。
【図６】液晶表示器，インバーター基板，冷却ファン等の構成例を示す断面図である。
【図７】カバー部材の構成例を説明する図である。
【図８】距離調整機構の構成例を説明する図である。
【符号の説明】
【００５１】
１０  カードユニット
１２  パチンコ機（遊技機）
１４  遊技盤
１６  液晶表示器（表示器）
１６ａ  表示面
１６ｂ  コネクタ
１８  インバーター基板（電源基板）
１８ａ  板バネ
１８ｂ  台座
１８ｃ  コネクタ
２０  カバー部材
２０ａ  スリット（貫通穴）
２２  冷却ファン（冷却装置）
２４  基板ボックス
２４ａ，２４ｂ  取付台
２４ｃ  画像制御基板（回路基板）
２６  表示ユニット
２８  空間
３０  距離調整機構
３０ａ  可動片
３０ｂ  調整部材
Ｌ  距離
【図１】
2005192827.tif 000003
【図２】
2005192827.tif 000004
【図３】
2005192827.tif 000005
【図４】
2005192827.tif 000006
【図５】
2005192827.tif 000007
【図６】
2005192827.tif 000008
【図７】
2005192827.tif 000009
【図８】
2005192827.tif 000010